(57)【特許請求の範囲】
【請求項１】
地面に複数の擁壁を互いに適宜間隔をあけて並列に立設し、これらの擁壁の後面で土止め施工することにより土砂層を階段状に形成してなる土止めベンチであって、各段の擁壁の下方部に排水口をその長手方向に複数形成し、該排水口の一つに排水管を挿通して各段の排水管を互いに連結し、各段の擁壁における他の排水口の少なくとも一つに集水管を挿入し、該集水管を連通管を介して同一段の排水管に連結し、各段の排水管、集水管および連通管を土砂層に埋設するとともに、各段の土砂層の高さを、これと同一段の擁壁の上端部とほぼ同一にしたことを特徴とする土止めベンチ。
【請求項２】
地面に複数の擁壁を互いに適宜間隔をあけて並列に立設し、これらの擁壁の後面で土止め施工することにより土砂層を階段状に形成してなる土止めベンチであって、各段の擁壁の下方部に排水口をその長手方向に複数形成し、適所にスリット状の集水孔を形成した排水管を前記排水口の少なくとも一つに挿通して、各段の対応する排水管同士を連結し、前記排水管の集水孔形成部を砕石層または栗石層で包囲し、該層の周囲に土砂層を充填することにより、すべての排水管を土砂層に埋設するとともに、各段の土砂層の高さを、これと同一段の擁壁の上端部とほぼ同一にしたことを特徴とする土止めベンチ。
【請求項３】
前記土砂層を、地面に敷設した防水性シート上に形成したことを特徴とする請求項１または２に記載の土止めベンチ。
【請求項４】
前記擁壁を砕石層または割栗層からなる土台上に載置し、耐食性金属からなるステープルを前記土台に打ち込むことにより、該擁壁の下端部を前記土台に固定したことを特徴とする請求項１または２に記載の土止めベンチ。
【請求項５】
前記擁壁は硬質・耐食性材料からなる板状部材により構成し、前面側に複数の板状ステーを上下方向に、かつ当該擁壁の長手方向に適宜間隔をあけて設け、土止めを行う後面側には、当該擁壁のほぼ上端部からほぼ下端部に跨がる板状ステーを複数、かつ当該擁壁の長手方向に適宜間隔をあけて設けることにより区画室を形成したことを特徴とする請求項１または２に記載の土止めベンチ。
【請求項６】
前記擁壁の前面側両端部の板状ステーにボルト貫挿孔を形成し、複数の擁壁の端部同士を突き合わせて前記ボルト貫挿孔同士を連通させ、この連通孔にボルトを貫挿してナットで固定し、擁壁同士を連結して長尺物としたことを特徴とする請求項５に記載の土止めベンチ。
【請求項７】
前記擁壁の区画室に砕石または割栗を充填したことを特徴とする請求項１に記載の土止めベンチ。
【請求項８】
前記擁壁の区画室に土砂を充填したことを特徴とする請求項２に記載の土止めベンチ。
【請求項９】
請求項１または２に記載の土止めベンチを構成するための控え壁式擁壁であって、硬質プラスチックを一体成形してなり、下方部に排水口を当該擁壁の長手方向に複数形成し、前面側に複数の板状ステーを上下方向に、かつ当該擁壁の長手方向に適宜間隔をあけて設け、土止めを行う後面側には当該擁壁のほぼ上端部からほぼ下端部に跨がる板状ステーを複数、かつ当該擁壁の長手方向に適宜間隔をあけて設けることにより区画室を形成したことを特徴とする擁壁。
【請求項１０】
前面側両端部の板状ステーにボルト貫挿孔を形成し、二つの擁壁の端部同士を突き合わせたときに、前記ボルト貫挿孔同士が連通するようにしたことを特徴とする請求項９に記載の擁壁。
【発明の詳細な説明】
【０００１】
【発明の属する技術分野】
本発明は土止めベンチおよび、これを施工するための擁壁に関する。
【０００２】
【従来の技術】
および
【発明が解決しようとする課題】
一般に、運動場等の付近の平地、傾斜地等には多段式の観覧席を設けることが要望されている。しかし、従来の技術では、上記観覧席の構造が複雑であったり、施工に長時間を要したり、施工費用が高価になったりする問題があった。
【０００３】
したがって、本発明の目的は、多段式観覧席として使用することができ、しかも地層内の水の集排水機能を有する、構造および施工が簡単な土止めベンチおよび、これを施工するための擁壁を安価に提供することである。
【０００４】
【課題を解決するための手段】
第１発明（請求項１）に係る土止めベンチは、地面に複数の擁壁を互いに適宜間隔をあけて並列に立設し、これらの擁壁の後面で土止め施工することにより土砂層を階段状に形成してなる土止めベンチであって、各段の擁壁の下方部に排水口をその長手方向に複数形成し、該排水口の一つに排水管を挿通して各段の排水管を互いに連結し、各段の擁壁における他の排水口の少なくとも一つに集水管を挿入し、該集水管を連通管を介して同一段の排水管に連結し、各段の排水管、集水管および連通管を土砂層に埋設するとともに、各段の土砂層の高さを、これと同一段の擁壁の上端部とほぼ同一にしたことを特徴とする。
【０００５】
本発明では、集水管を兼ねた構造の排水管を配設することにより、第１発明における上記集水管および連通管を省略することができる。この場合、この排水管を、擁壁の複数の排水口のすべてに挿通配備することが好ましい。
【０００６】
すなわち、第２発明に係る土止めベンチは、地面に複数の擁壁を互いに適宜間隔をあけて並列に立設し、これらの擁壁の後面で土止め施工することにより土砂層を階段状に形成してなる土止めベンチであって、各段の擁壁の下方部に排水口をその長手方向に複数形成し、適所にスリット状の集水孔を形成した排水管を前記排水口の少なくとも一つに挿通して、各段の対応する排水管同士を連結し、前記排水管の集水孔形成部を砕石層または栗石層で包囲し、該層の周囲に土砂層を充填することにより、すべての排水管を土砂層に埋設するとともに、各段の土砂層の高さを、これと同一段の擁壁の上端部とほぼ同一にしたことを特徴とするものである。
【０００７】
上記土砂層は、地面に敷設した防水性シート上に形成することが好ましい。また、擁壁を砕石層または割栗層からなる土台上に載置し、耐食性金属からなるステープルを上記土台に打ち込むことにより、擁壁の下端部を土台に固定することが望ましい。コンクリート製の基礎板を土砂層上に敷いて土台とすることもできる。
【０００８】
第１発明および第２発明の擁壁としては、以下のもの用いることが好ましい。すなわち、この擁壁を硬質・耐食性材料からなる板状部材により構成し、前面側に複数の板状ステーを上下方向に、かつ当該擁壁の長手方向に適宜間隔をあけて設け、土止めを行う後面側には、当該擁壁のほぼ上端部からほぼ下端部に跨がる板状ステーを複数、かつ当該擁壁の長手方向に適宜間隔をあけて設けることにより区画室を形成することが望ましい。
このような構造の擁壁を用いる場合、第１発明に係る土止めベンチでは、上記区画室に砕石または割栗を充填することが好ましい。また、第２発明に係る土止めベンチでは、上記区画室に土砂を充填することが望ましい。
【０００９】
また、上記構造の擁壁では、その前面側両端部の板状ステーにボルト貫挿孔を形成し、二つの擁壁の端部同士を突き合わせて前記ボルト貫挿孔同士を連通させ、この連通孔にボルトを貫挿してナットで固定し、擁壁同士を連結して長尺物とすることが好ましく、この長尺擁壁により、大型の観覧席を施工することができる。
【００１０】
第１発明および第２発明に係る擁壁としては、以下の構造を有するものが好ましい。すなわち本発明の擁壁（請求項９）は、上記土止めベンチを構成するための控え壁式擁壁であって、硬質プラスチックを一体成形してなり、下方部に排水口を当該擁壁の長手方向に複数形成し、前面側に複数の板状ステーを上下方向に、かつ当該擁壁の長手方向に適宜間隔をあけて設け、土止めを行う後面側には当該擁壁のほぼ上端部からほぼ下端部に跨がる板状ステーを複数、かつ当該擁壁の長手方向に適宜間隔をあけて設けることにより区画室を形成したことを特徴とするものである。
この擁壁では、前面側両端部の板状ステーにボルト貫挿孔を形成し、複数の擁壁の端部同士を突き合わせたときに、前記ボルト貫挿孔同士が連通するようにしたものが好ましい。これにより、上記長尺擁壁を構成することができる。
【００１１】
【実施例】
以下、本発明の実施例を、図面を参照しながら説明する。
実施例１
図１は土止めベンチの概略断面図、図２はその平面図であって集水管、連通管および排水管の配管説明図である。図３は図２の一部拡大図、図４は図３のＡ−Ａ線断面図、図５は図３のＢ−Ｂ線断面図である。図６は排水管の施工要領説明図、図７は擁壁の正面図（前面側を示す）、図８は擁壁の背面図（後面側を示す）、図９は擁壁の平面図、図１０は図７の右側面図である。
図１１は擁壁同士の結合部分を示す正面図である。図１２は図１１の背面図であって、割栗層上への擁壁固定要領を示す説明図である。図１３は擁壁同士を結合するためのダブル折座金を示すもので（ａ）は平面図、（ｂ）は正面図、（ｃ）は（ｂ）の右側面図である。図１４はカバー板を取り付け後の擁壁の平面図、図１５は図１４のＣ−Ｃ線断面図である。
【００１２】
この実施例の土止めベンチは図１，２に示すように、図７〜１０に示す擁壁１１を複数、地面１０上に互いに適宜間隔をあけて上下多段に、かつ並列に立設し、これらの擁壁１１の後面で土止め施工することにより、土砂層５１を階段状に形成して多段状ベンチとしたものである。擁壁１１は、土止め用の部材であると同時に、観覧席となるものであり、各段の擁壁高さ（土止めベンチの地面を基準とする擁壁上端部の高さ）は、成人が擁壁上に楽な姿勢で腰掛けて、足を地面につけることができるものとなっている。
土砂層５１は図１，４に示すように、（土止めベンチ施工前の）地面１０に敷設した防水性シート４１上に形成したものである。なお、この土止め施工の要領の詳細については後記する。防水性シート４１としては、ポリ塩化ビニリデン製シートが採用できる。
【００１３】
擁壁１１は図４および図１２に示すように、砕石層または割栗層からなる土台４２上に載置した後、耐食性金属からなるステープル４６（Ｕ字状の止め金）を土台４２に打ち込むことにより、（擁壁１１の下端部が）土台４２に固定されている。図３において４５は、ステープル４６を挿入するための貫通孔である。
擁壁１１は控え壁式擁壁であって、ポリオレフィン系樹脂、硬質ポリ塩化ビニル樹脂等の硬質プラスチックを一体成形したものである。すなわち、この擁壁１１では、下方部に排水口１２を当該擁壁の長手方向に沿って複数形成し、前面側に複数の板状ステー１３を上下方向に、かつ当該擁壁の長手方向に適宜間隔をあけて設け、土止めを行う後面側には当該擁壁のほぼ上端部からほぼ下端部に跨がる板状ステー１４を複数、かつ当該擁壁の長手方向に適宜間隔をあけて設けることにより区画室１５を形成してある。
【００１４】
また、この擁壁１１では図７に示すように、前面側両端部の板状ステー１３にボルト貫挿孔１３ａを形成し、二つの擁壁の端部同士を突き合わせてボルト貫挿孔１３ａ同士を連通させ、図１１に示すように、この連通孔にボルト４３を貫挿してナット４４で固定することにより、擁壁同士を連結した長尺物となっている。そして、この長尺擁壁の上端部には、図１４，１５に示すように、カバー板１１ａが設けられている。
【００１５】
上記土止めベンチにおいては、各段の擁壁１１の下方部に排水口１２をその長手方向に複数（この実施例では四つ）形成し、排水口１２の一つに排水管２１を挿通して、各段の排水管２１を互いに連結する。また、各段の擁壁１１においては、残りの排水口１２のすべてに集水管２２を挿入し、これらの集水管２２を連通管２３を介して当該段の排水管２１に連結し、排水管２１、集水管２２および連通管２３を土砂層５１に埋設するとともに、各段の土砂層５１の高さを、これと同一段の擁壁の上端部とほぼ同一に形成してある。排水管２１、集水管２２および連通管２３は、例えば硬質ポリ塩化ビニル製とする。また、図８に示すように、擁壁１１の区画室１５のすべてに、砕石または割栗を充填する。
【００１６】
つぎに、比較的軟質な地盤、例えば雑草が生えている平地上に、芝生仕上げの土止めベンチを施工する手順の一例について説明する。
（１）まず、多段に立設するべき擁壁の位置を決める。
（２）平地上に防水性のプラスチックシートを敷設する。
（３）２段目以上の擁壁については、各段の擁壁設置位置に土砂層と、その上に割栗層とを形成して、割栗層上面の高さを所定値に設定する。この場合、後段の割栗層上面の高さを、隣接する前段よりも所定値だけ高くする。１段目の擁壁設置位置では、地面に適宜深さの穴を堀り、ここに割栗層を充填形成する。
【００１７】
（４）図４および図１２に示すように各段の割栗層上に、擁壁同士を連結して構成した長尺擁壁を、ステープル４６により鉛直方向に立設した後、図１４，１５に示すように、この長尺擁壁の上端部にカバー板１１ａを設ける。
この場合、図１１に示すように複数の擁壁の端部同士、したがって前面側両端部の板状ステー１３同士を突き合わせ、図１３に示すダブル折座金１６を上記二つの板状ステーに被せ、板状ステー１３，１３のボルト貫挿孔１３ａ同士を連通させて形成した連通孔にボルト４３を貫挿した後、ナット４４で固定することにより擁壁同士を連結して長尺擁壁とする。なお、図１３において１６ａは、ボルト挿通孔である。
【００１８】
（５）各段の擁壁について、上記要領で排水管２１、連通管２３および集水管２２を設け、図２に示すようにすべて段の排水管を連結する。この場合、連通管２３の長さは擁壁の長さとほぼ一致させ、連通管同士の連結はソケット２４により行う。また、図３および図４に示すように、集水管２２と連通管２３との接続は、連通管２３に設けたソケット部２３ａにより行い、連通管２３と排水管２１との接続は、連通管２３に設けたソケット部２３ｂ，２３ｃを使用して行う。
各段の排水管２１は、図６に示すように上記排水口１２に挿通した水平管２１ａと、鉛直管２１ｂとで構成する。水平管２１ａは排水口１２に対応して横断面形状を長方形とし、鉛直管２１ｂは円管とする。水平管２１ａと鉛直管２１ｂとの連結では、下向きエルボ２１ｃおよび上向きエルボ２１ｄを用い、水平管同士の連結はソケット２１ｅを使用して行う。
【００１９】
なお、土止めベンチにおける連結後の排水管２１の本数・配設ピッチ・径、一つの段の擁壁に設ける集水管２２の本数・配設ピッチ・径、連通管２３の径等は、土止めベンチへの降雨量、要求される排水量等を考慮して決定する。また排水管２１、集水管２２および連通管２３は、傾斜管とすることにより排水機能を向上させることもできる。
【００２０】
（６）各段の擁壁の後面側に盛り土を行う。この際、図８に示すように、すべての区画室１５に割栗（または砕石）を充填する。これによって擁壁に割栗の重量がかかるため擁壁を、より安定に固定することができる。ついで転圧を行って図１の形態とした後、地面に芝付けを行う。
【００２１】
つぎに、上記土止めベンチの作用について説明する。
各段の擁壁１１はベンチとして使用することができ、観客は擁壁１１の上端部（カバー板１１ａ）に腰掛けることができる。各段の地面（土砂層５１の表面）は通路となる。また図１，２において、雨水等が浸透して生じた各段の土砂層内の水は、擁壁の排水口１２から集水管２２に流入し、連通管２３を介して排水管２１に流入し、土止めベンチ外に排出される。この場合、防水性シート４１を敷設してあるため、土砂層内の水が防水性シート４１よりも下層に浸透することは殆どなくなる。
【００２２】
実施例２
図１６は土止めベンチの概略断面図、図１７はその平面図であって、排水管の配管要領を示すものである。図１８は図１７のＤ−Ｄ線断面図であって、排水管を割栗層内に埋設する要領を示すものである。
【００２３】
この実施例２は、実施例１における排水管２１に代えて、集水管を兼ねた構造の排水管３１を配設することにより、上記集水管２２および連通管２３を省略したものである。
すなわち、図１６〜図１８に示すように、地面１０上に複数の擁壁１１を互いに適宜間隔をあけて並列に立設し、これらの擁壁１１の後面で土止め施工することにより土砂層５１を階段状に形成してなる土止めベンチであって、擁壁１１の下方部に排水口１２をその長手方向に沿って複数形成し、適所にスリット状の集水孔３２を形成した排水管３１を上記排水口１２のすべてに挿通して、各段の対応する排水管同士を連結し、それぞれの排水管３１の集水孔３２形成部を栗石層５２で包囲し、この栗石層５２の周囲に土砂層５１を充填することにより、すべての排水管３１を土砂層５１内に埋設するとともに、各段の土砂層５１の高さを、これと同一段の擁壁１１の上端部とほぼ同一にしたものである。
【００２４】
図１６〜図１８において、各段の土砂層内の水は排水管３１に直接、集水孔３２から流入し、土止めベンチ外に排出される。この場合、防水性シート４１を敷設してあるため、土砂層内の水が防水性シート４１よりも下層に浸透することは殆どなくなる。また、この土止めベンチでは、擁壁１１のすべての区画室１５に土砂を充填することによって、擁壁に土砂の重量をかけることができるため擁壁を、より安定に固定することができる。
【００２５】
【発明の効果】
以上の説明で明らかなように、本発明によれば、多段式観覧席として使用することができ、しかも地層内の水を集排水する機能を有する、構造および施工が簡単な土止めベンチおよび、これを施工するための擁壁を安価に提供することができる効果がある。
【図面の簡単な説明】
【図１】本発明の実施例１に係る土止めベンチの構造を示す概略断面図である。
【図２】図１の平面図であって集水管、連通管および排水管の配管説明図である。
【図３】図２の一部拡大図である。
【図４】図３のＡ−Ａ線断面図である。
【図５】図３のＢ−Ｂ線断面図である。
【図６】図１における排水管の施工要領説明図である。
【図７】図１における擁壁の正面図である（前面側を示す）。
【図８】図７の擁壁の背面図である（後面側を示す）。
【図９】図７の擁壁の平面図である。
【図１０】図７の右側面図である。
【図１１】擁壁同士の結合部分を示す正面図である。
【図１２】図１１の背面図であって、割栗層上への擁壁固定要領を示す説明図である。
【図１３】擁壁同士を結合するためのダブル折座金を示すもので（ａ）は平面図、（ｂ）は正面図、（ｃ）は（ｂ）の右側面図である。
【図１４】カバー板を取り付け後の擁壁の平面図である。
【図１５】図１４のＣ−Ｃ線断面図である。
【図１６】本発明の実施例２に係る土止めベンチの構造を示す概略断面図である。
【図１７】図１６の平面図であって、排水管の配管要領を示すものである。
【図１８】図１７のＤ−Ｄ線断面図であって、排水管を割栗層内に埋設する要領を示すものである。
【符号の説明】
１０  地面
１１  （控え壁式）擁壁
１１ａ  カバー板
１２  排水口
１３，１４  板状ステー
１３ａ  ボルト貫挿孔
１５  区画室
１６  ダブル折座金
１６ａ  ボルト挿通孔
２１  排水管
２１ａ  水平管
２１ｂ  鉛直管
２１ｃ  下向きエルボ
２１ｄ  上向きエルボ
２１ｄ  ソケット
２２  集水管
２３  連通管
２３ａ〜２３ｃ  ソケット部
２４  ソケット
３１  排水管
３２  集水孔
４１  防水性シート
４２  土台
４３  ボルト
４４  ナット
４５  貫通孔
４６  ステープル
５１  土砂層
５２  割栗層
【図１】
0003798478.tif 000002
【図２】
0003798478.tif 000003
【図３】
0003798478.tif 000004
【図４】
0003798478.tif 000005
【図５】
0003798478.tif 000006
【図６】
0003798478.tif 000007
【図７】
0003798478.tif 000008
【図８】
0003798478.tif 000009
【図９】
0003798478.tif 000010
【図１０】
0003798478.tif 000011
【図１１】
0003798478.tif 000012
【図１２】
0003798478.tif 000013
【図１３】
0003798478.tif 000014
【図１４】
0003798478.tif 000015
【図１５】
0003798478.tif 000016
【図１６】
0003798478.tif 000017
【図１７】
0003798478.tif 000018
【図１８】
0003798478.tif 000019